(57)【要約】【課題】食器類の収納性が良く、使い勝手を向上させる食器洗浄機を得る。【解決手段】上方に開口部を有する洗浄槽１と、洗浄槽１を前後方向に移動可能に支持する食器洗浄機本体２と、食器洗浄機本体２に支持され、食器洗浄機本体２内に収容された洗浄槽１の上方の開口部を閉塞する蓋部３とを備え、洗浄槽１を前方向に最大まで引き出したとき、洗浄槽１の後壁内面１ａが食器洗浄機本体２の前面２ａと同一または前面２ａより外側の位置となるように構成し、洗浄槽１の開口部の全開口を食器洗浄機本体２と重ならないようにしたことで、食器類５の洗浄槽１からの出し入れがし易くなり、使い勝手の良いものとなった。【選択図】　　　図１
2004049443.tif 000002
【特許請求の範囲】
【請求項１】
上方に開口部を有する洗浄槽と、この洗浄槽を前後方向に移動可能に支持する食器洗浄機本体と、該食器洗浄機本体に支持され、前記食器洗浄機本体内に収容された前記洗浄槽の上方の開口部を閉塞する蓋部とを備え、前記洗浄槽を前方向に最大まで引き出したとき、洗浄槽の後壁内面が前記食器洗浄機本体の前面と同一または前面より外側の位置となるようにしたことを特徴とする食器洗浄機。
【請求項２】
上方に開口部を有する洗浄槽と、この洗浄槽を前後方向に移動可能に支持する食器洗浄機本体と、該食器洗浄機本体に支持され、前記食器洗浄機本体内に収容された前記洗浄槽の上方の開口部を閉塞する蓋部と、前記洗浄槽に設けられるレールと、該レールと前記食器洗浄機本体とを連結し、前記洗浄槽を前方向に最大まで引き出したとき、洗浄槽の後壁内面が前記食器洗浄機本体の前面と同一または前面より外側の位置となるように前記レールが摺動する第２のレールを設けたことを特徴とする食器洗浄機。
【請求項３】
前記洗浄槽の後壁の上端に後方に傾斜延長させた上部傾斜延長部を形成し、前記洗浄槽を前方向に最大まで引き出したとき、前記洗浄槽の後壁内面が前記食器洗浄機本体の前面と同一または前面より外側の位置となるとともに前記上部傾斜延長部は前記食器洗浄機の前面より内側となるようにしたことを特徴とする請求項１または２いずれか記載の食器洗浄機。
【請求項４】
前記洗浄槽の両側壁を前記洗浄槽の後壁より後方に延長させて延長壁を形成し、前記洗浄槽を前方向に最大まで引き出したとき、前記延長壁が前記食器洗浄機本体の前面より内側となるようにしたことを特徴とする請求項１〜３いずれか記載の食器洗浄機。
【請求項５】
前記洗浄槽内に、食器類を載置する食器かごを着脱可能に収容することを特徴とする請求項１または２いずれか記載の食器洗浄機。
【発明の詳細な説明】
【０００１】
【産業上の利用分野】
この発明は、食器の洗浄を行なう食器洗浄機に関するものである。
【０００２】
【従来の技術】
図７は、例えば特許第３１２９３１１号公報に示されている第１の従来の食器洗浄機の縦断面図である。図において、食器洗浄機本体７１は前方を開口し、上方を開口した洗浄槽７２を食器洗浄機本体７１より前方に引き出し可能に設け、この洗浄槽７２内に食器７３を収納する食器かご７４を設けている。洗浄槽７２は食器洗浄機本体７１と洗浄槽７２に設けたレール体７５により、前方に引き出し可能としている。
【０００３】
また、洗浄槽７２内には、洗浄槽７２内の洗浄水を加熱する加熱手段としてヒータ７６を設け、洗浄槽７２の下面に洗浄ポンプ７７を設け、洗浄ノズル７８より洗浄水を噴射して食器かご７４に収納した食器７３を洗浄するように構成している。給水弁７９は水道水を洗浄槽７２に給水するもので、食器洗浄機本体７１に固定している。排水ポンプ８０は洗浄槽７２内に洗浄水を排水するもので、洗浄槽７２に固定している。
【０００４】
給水ホース８１は一端を給水弁７９に接続し、他端を洗浄槽７２の下端に接続して水道水を洗浄槽７２に給水する。排水ホース８２は一端を排水ポンプ８０に接続し、他端を食器洗浄機本体７１に固定して、洗浄槽７２内の洗浄液を排水するようにしている。
【０００５】
洗浄槽７２の上面には内蓋８３を設けている。この内蓋８３は、一端を食器洗浄機本体７１に軸支し、他端を内蓋８３に軸支したリンク装置８４で前後上下にスイング可能とし、洗浄槽７２を食器洗浄機本体７１内に収納する際に、洗浄槽７２の収納方向の移動に連動して洗浄槽７２の開放部に係合し、洗浄槽７２を密閉するように構成している。洗浄槽７２の前面には扉８５を設けている。
【０００６】
このような構成において第１の従来の食器洗浄機の動作について説明すると、利用者が洗浄槽７２を前方に引き出し、食器７３を食器かご７４に配置し、洗浄槽７２に収納して洗剤を入れた後、洗浄槽７２を食器洗浄機本体７１内に収納する。そして、内蓋８３により洗浄槽７２の上方の開口部を閉塞し、運転を開始すると、制御装置８６により、ヒータ７６、洗浄ポンプ７７、給水弁７９、排水ポンプ８０などの運転を制御し、食器かご７４に収納した食器７３を洗浄、すすぎ、乾燥を行う。
【０００７】
次に、洗浄槽７２を前方に引き出し可能としている食器洗浄機本体７１と洗浄槽７２に設けたレール体７５について説明する。図８は、例えば特許第３１２９３１５号公報に示された第２の従来の食器洗浄機の洗浄槽の支持状態を示す縦断面図である。なお、第１の従来の技術と同一のものは同一符号を付して説明する。８７は回転方向を切り替えることにより、洗浄水循環用として動作するポンプで、洗浄槽７２の背面に固定している。そして、洗浄槽７２側には、後方に第１のローラー８８ａを持つ第１のレール８８を設け、食器洗浄機本体７１側には洗浄槽７２を前方に引き出した状態で、洗浄槽７２の支点となる第２のローラー８９ａを前方に配した第２のレール８９を設け、洗浄槽７２を前後方向へ移動可能に支持し、第１のレール８８と第２のレール８９とでレール体７５を構成している。９０は洗浄槽７２の背面に配設し、乾燥行程時に作動する送風機である。
【０００８】
このような第２の従来の食器洗浄機のレール体の動作について説明すると、洗浄槽７２を食器洗浄機本体７１内から引き出すと、食器洗浄機本体７１に設けられた第１のレール８８と洗浄槽７２に設けられた第２のレール８９が摺動して、洗浄槽７２が食器洗浄機本体７１内から略水平方向で引き出される。そして、使用した食器７３を食器かご７４内に収納し、洗剤を投入して洗浄槽７２を食器洗浄機本体１内の定位置に押し込み、上記した第１の従来の食器洗浄機と同様にして、洗浄、すすぎ、乾燥が行われる。そして、全行程が終了した後、食器洗浄機本体７１から洗浄槽７２を引き出し、食器７３を取り出して食器棚などに収納して片付ける。
【０００９】
【発明が解決しようとする課題】
上記のような従来の食器洗い機では、上述したように洗浄槽７２を前方へ引き出し、食器７３を食器かご７４にセットする際や、全行程の運転が終了した後に食器７３を洗浄槽７２内から取り出す際に、食器７３が出し入れし易いように洗浄槽７２をより前方に引き出させる構成とする必要がある。しかしながら、食器洗浄機本体７１に設けられた第１のレール８８および第１のローラー８８ａが洗浄槽７２に設けられた第２のレール８９および第２のローラー８９ａを摺動して洗浄槽７２を略水平方向に引き出した際、洗浄槽７２側の第２のレール８９は食器洗浄機本体７１側の第１のレール８８の稼働範囲内しか摺動できないため、食器洗浄機本体７１と洗浄槽７２とが重なり合う部分ができ、その重なり合った洗浄槽７２内への食器７３の出し入れがし難く、使い勝手が良くないという問題点があった。
【００１０】
この発明は、上述のような課題を解決するためになされたもので、食器類の収納性が良く、使い勝手を向上させる食器洗浄機を得るものである。
【００１１】
【課題を解決するための手段】
この発明にかかる食器洗浄機においては、上方に開口部を有する洗浄槽と、この洗浄槽を前後方向に移動可能に支持する食器洗浄機本体と、該食器洗浄機本体に支持され、前記食器洗浄機本体内に収容された前記洗浄槽の上方の開口部を閉塞する蓋部とを備え、前記洗浄槽を前方向に最大まで引き出したとき、洗浄槽の後壁内面が前記食器洗浄機本体の前面と同一または前面より外側の位置となるようにしたものである。
【００１２】
また、上方に開口部を有する洗浄槽と、この洗浄槽を前後方向に移動可能に支持する食器洗浄機本体と、該食器洗浄機本体に支持され、前記食器洗浄機本体内に収容された前記洗浄槽の上方の開口部を閉塞する蓋部と、前記洗浄槽に設けられるレールと、該レールと前記食器洗浄機本体とを連結し、前記洗浄槽を前方向に最大まで引き出したとき、洗浄槽の後壁内面が前記食器洗浄機本体の前面と同一または前面より外側の位置となるように前記レールが摺動する第２のレールを設けたものである。
【００１３】
また、前記洗浄槽の後壁の上端に後方に傾斜延長させた上部傾斜延長部を形成し、前記洗浄槽を前方向に最大まで引き出したとき、前記洗浄槽の後壁内面が前記食器洗浄機本体の前面と同一または前面より外側の位置となるとともに前記上部傾斜延長部は前記食器洗浄機の前面より内側となるようにしたものである。
【００１４】
また、前記洗浄槽の両側壁を前記洗浄槽の後壁より後方に延長させて延長壁を形成し、前記洗浄槽を前方向に最大まで引き出したとき、前記延長壁が前記食器洗浄機本体の前面より内側となるようにしたものである。
【００１５】
また、前記洗浄槽内に、食器類を載置する食器かごを着脱可能に収容するものである。
【００１６】
【発明の実施の形態】
実施の形態１．
図１はこの発明の実施の形態１である食器洗浄機の縦断面図である。図において、１は上方を開口した箱状の洗浄槽、２は前面から洗浄槽１を一定範囲内で水平方向に引き出し可能に収容する食器洗浄機本体、３は洗浄槽１を本体２内に収納する際に洗浄槽１の開口部を密閉する蓋部、４は食器類５を収納する食器カゴ、６は洗浄槽１内に洗浄水を噴射する洗浄ノズル、７は洗浄ノズル６から噴射される洗浄水を温めるヒータ、８は回転方向を切り替えることにより洗浄水循環用として動作するポンプ、９は洗浄槽１の左右外面および本体２の左右内面にそれぞれ一対に設けられるレール体である。
【００１７】
次に、レール体９について説明する。図２と図３は洗浄槽１の支持状態を示す縦断面図で、図２は洗浄槽１を引き出した状態、図３は洗浄槽１を押し込んだ状態、図４（ａ）はレール体の拡大正面図で▲１▼は洗浄槽を押し込んだ状態▲２▼は洗浄槽を引き出した状態、（ｂ）はレール体部分の側面図である。図において、１０は食器洗浄機本体２の内壁面の左右一対に設けられる第１のレール、１１は洗浄槽１の外壁面下部に左右一対に固定される第２のレール（特許請求の範囲でいうレールに相当）、１１ａは第２のレール１１の摺動ローラー、１２は第１のレール１０と第２のレール１１との間に介在する第３のレール（特許請求の範囲でいう第２のレールに相当）、１２ａ、１２ｂ、１２ｃは第３のレール１２に取り付けられた摺動ローラーＡ、Ｂ、Ｃであり、第１のレール１０と第２のレール１１と第３のレール１２と摺動ローラー１１ａ、１２ａ、１２ｂ、１２ｃとによりレール体９を構成する。なお、１４はヒータ７、ポンプ８、休止弁（図示せず）などの運転を制御する制御装置、１５は洗浄槽１の前面に設けた扉である。
【００１８】
このように構成された食器洗浄機の洗浄槽１を前後方向に引き出す動作について説明する。食器洗浄機本体２の第１のレール１０の面を、摺動用の第３のレール１２の摺動ローラー１２ｂが摺動し、摺動用の第３のレール１２の面を洗浄槽１の第２のレール１１の摺動ローラー１１ａが摺動し、第３のレール１２の摺動ローラー１２ａが洗浄槽１の第２のレール１１の面を摺動する。このようにして、各々のレール１０、１１、１２がそれぞれの稼働範囲内を摺動することで、洗浄槽１側の第２のレール１１は食器洗浄機本体２側の第１のレール１０の稼働範囲以上に摺動することができるので、洗浄槽１の第２のレール１１の後端Ｂは食器洗浄機本体２の第１のレール１０の前端Ａより前方向に位置させることができ、したがって、洗浄槽１の開口部の全面を食器洗浄槽本体２より前方向に位置させることができる。
【００１９】
このようにして、洗浄槽１内部の後壁内面１ａが食器洗浄機本体２の前面２ａと同一または食器洗浄機本体２の前面２ａより外側まで引き出し可能としたことにより、洗浄槽１の開口部が食器洗浄機本体２と重なり合う部分が無くなり、食器類５の出し入れがし易くなり、さらに食器カゴ４が食器類５を載置した状態で洗浄槽３内部へ出し入れすることも可能となり、使い勝手の良い食器洗浄機を提供することができる。
【００２０】
実施の形態２．
図１〜図３に示すように、洗浄槽１の後壁内面１ａの上部に後方に傾斜延長させて食器洗浄機本体２に保持される洗浄槽１の蓋部３の下面に位置するよう形成した上部傾斜延長部１ｂを設けたことで、洗浄槽１と食器洗浄機本体２との間に隙間が無くなり、利用者の指などを挟みこむのを防ぐことができ、さらに蓋部３に水滴が付着して残っていた場合には、その水滴を上部傾斜延長部１ｂから洗浄槽１内に回収することができ、蓋部３に水滴が残ることがない。
【００２１】
また、洗浄槽１の側面壁を後方に延長形成して延長壁１ｃを形成させることでも、洗浄槽１が引き出されたとき、洗浄槽１と食器洗浄機本体２との間に隙間が生じず、利用者の指などを挟みこむのを防止することができる。さらに、蓋部３を前方向に若干傾斜させる構成としたり、洗浄槽１の後壁内面１ａの上部傾斜延長部１ｂの後方（Ｃ部分）にワイパーなどを設けると洗浄槽１を食器洗浄機本体２から引き出すときに蓋部３に付着した水滴をワイパーで寄せ集めながら洗浄機１が引き出され、確実に水滴を上部傾斜延長部１ｂから回収することができる。
【００２２】
実施の形態３．
また、上記実施の形態１のレール体９を、図５または図６に示すレール体としても同様の効果を奏する事ができる。図５は、食器洗浄機本体２に固定されている第１のレール１０の上方に洗浄槽１の第２のレール１１が位置するように第３のレール１２を嵌合させるレール体、図６は食器洗浄機本体２に固定されている第１のレール１０の下方に洗浄槽１の第２のレール１１が位置するように第３のレール１２を嵌合させるレール体で、図５（ａ）と図６（ａ）はレール体の側面図、図５（ｂ）と図６（ｂ）はレール体の拡大正面図で▲１▼洗浄槽を引き出した状態と▲２▼洗浄槽を押し込んだ状態である。このようなレール体とすれば、洗浄槽１を食器洗浄機本体２の前面２ａと同一または前面２ａより前方まで引き出し可能とし、またレール体の幅を小さくできるので洗浄槽１の容量を大きくとることができる。
【００２３】
【発明の効果】
この発明は、以上説明したように構成されているので、以下に示すような効果を奏する。
【００２４】
上方に開口部を有する洗浄槽と、この洗浄槽を前後方向に移動可能に支持する食器洗浄機本体と、該食器洗浄機本体に支持され、前記食器洗浄機本体内に収容された前記洗浄槽の上方の開口部を閉塞する蓋部とを備え、前記洗浄槽を前方向に最大まで引き出したとき、洗浄槽の後壁内面が前記食器洗浄機本体の前面と同一または前面より外側の位置となるようにしたので、洗浄槽の食器を収容する開口部を全開口するので、洗浄槽の奥に容易に食器を収容することができ、使い勝手の良いものとなる。
【００２５】
また、上方に開口部を有する洗浄槽と、この洗浄槽を前後方向に移動可能に支持する食器洗浄機本体と、該食器洗浄機本体に支持され、前記食器洗浄機本体内に収容された前記洗浄槽の上方の開口部を閉塞する蓋部と、前記洗浄槽に設けられるレールと、該レールと前記食器洗浄機本体とを連結し、前記洗浄槽を前方向に最大まで引き出したとき、洗浄槽の後壁内面が前記食器洗浄機本体の前面と同一または前面より外側の位置となるように前記レールが摺動する第２のレールを設けたので、洗浄槽の食器を収容する開口部を全開口することができ、洗浄槽の奥に容易に食器を収容することができ、使い勝手の良い食器洗浄機を得ることができる。
【００２６】
また、前記洗浄槽の後壁の上端に後方に傾斜延長させた上部傾斜延長部を形成し、前記洗浄槽を前方向に最大まで引き出したとき、前記洗浄槽の後壁内面が前記食器洗浄機本体の前面と同一または前面より外側の位置となるとともに前記上部傾斜延長部は前記食器洗浄機の前面より内側となるようにしたので、洗浄槽が引き出されたとき、洗浄槽と食器洗浄機本体の間に生じる隙間を無くす事ができ、利用者の指などをはさみ込むのを防止できる。
【００２７】
また、前記洗浄槽の両側壁を前記洗浄槽の後壁より後方に延長させて延長壁を形成し、前記洗浄槽を前方向に最大まで引き出したとき、前記延長壁が前記食器洗浄機本体の前面より内側となるようにしたので、洗浄槽が引き出されたとき、洗浄槽と食器洗浄機本体の間に生じる隙間を無くす事ができ、利用者の指などをはさみ込むのを防止できる。
【００２８】
また、前記洗浄槽内に、食器類を載置する食器かごを着脱可能に収容するので、全開口されている洗浄槽の開口部から容易に食器を載置した食器かごを出し入れすることができる。
【図面の簡単な説明】
【図１】この発明の実施の形態１を示す食器洗浄機の縦断面図である。
【図２】この発明の実施の形態１を示す食器洗浄機の洗浄槽の支持状態を示す縦断面図である。
【図３】この発明の実施の形態１を示す食器洗浄機の洗浄槽を押し込んだ状態を示す縦断面図である。
【図４】（ａ）この発明の実施の形態１を示す食器洗浄機のレール体の拡大正面図である。
（ｂ）この発明の実施の形態１を示す食器洗浄機のレール体部分の側面図である。
【図５】（ａ）この発明の実施の形態３を示す食器洗浄機のレール体部分の側面図である。
（ｂ）この発明の実施の形態３を示す食器洗浄機のレール体の拡大正面図である。
【図６】（ａ）この発明の実施の形態３を示す食器洗浄機のレール体部分の側面図である。
（ｂ）この発明の実施の形態３を示す食器洗浄機のレール体の拡大正面図である。
【図７】従来の食器洗浄機を示す縦断面図である。
【図８】従来の食器洗浄機を示す洗浄槽の支持状態を表す縦断面図である。
【符号の説明】
１　洗浄槽、１ａ　後壁内面、１ｂ　上部傾斜延長部、１ｃ　延長壁、２　食器洗浄機本体、２ａ　前面、３　蓋部、４　食器カゴ、５　食器類、６　洗浄ノズル、７　ヒータ、８　ポンプ、９　レール体、１０　第１のレール、１１　第２のレール、１１ａ　摺動ローラー、１２　第３のレール、１２ａ　摺動ローラーＡ、１２ｂ　摺動ローラーＢ、１２ｃ　摺動ローラーＣ、１３　第３のレール、１４　制御装置、１５　扉。
【図１】
2004049443.tif 000003
【図２】
2004049443.tif 000004
【図３】
2004049443.tif 000005
【図４】
2004049443.tif 000006
【図５】
2004049443.tif 000007
【図６】
2004049443.tif 000008
【図７】
2004049443.tif 000009
【図８】
2004049443.tif 000010